(57)【要約】      （修正有）【課題】リールに巻回されたクロージャの残量の減少を感知して報知するクロージャの残量減少報知装置を提供する。【解決手段】包装袋をクロージャ４で結束する結束機１８に設けられ、リール１４に巻回されたクロージャ４の残量減少を感知する報知装置１１であって、円盤状の芯材に巻回されたクロージャロールが交換自在にセットされ、巻回しているクロージャ４、４…が結束機１８へ順次繰り出されるリール１４にセットされたクロージャロールに対して投光し、反射光を受光する光電管１５と、該光電管１５の受光量の減少を感知して報知する報知器１６とを少なくとも備え、芯材の色彩は、クロージャ４の色彩よりも濃色に着色されており、光電管１５の投光が、クロージャ４から芯材へと変わることによって、反射光の受光量が減少したことを当該光電管１５が感知して報知器１６が報知する構成である。【選択図】図２
2014210611.tif 000002
【特許請求の範囲】
【請求項１】
被包装物を収納した包装袋を結束用のクロージャで結束する結束機に設けられ、リールに巻回された前記クロージャの残量の減少を感知して報知するクロージャの残量減少報知装置であって、
該クロージャの残量減少報知装置は、
複数の前記クロージャが連続的に接続して、円盤状の芯材に巻回されたクロージャロールと、
該クロージャロールが交換自在にセットされ、巻回しているクロージャが前記結束機へ順次繰り出される前記リールと、
該リールにセットされた前記クロージャロールに対して投光し、反射光を受光する光電管と、
該光電管の受光量の減少を感知して報知する報知器と
を少なくとも備え、
前記芯材の色彩は、前記クロージャの色彩よりも前記光電管への反射光量が少ない濃色に着色されており、
前記光電管の前記クロージャロールに対する投光が、前記クロージャから前記芯材へと変わることによって、反射光の受光量が減少したことを当該光電管が感知して前記報知器が報知する構成であること
を特徴とするクロージャの残量減少報知装置。
【請求項２】
前記芯材は、前記クロージャの色彩よりも光の反射率が低い青色又は濃色であり、前記クロージャは、前記芯材の色彩よりも光の反射率が高い白色又は淡色であること
を特徴とする請求項１に記載のクロージャの残量減少報知装置。
【請求項３】
前記報知器は、回転灯、フラッシュ点灯装置、音響発生装置、又はブザー装置であること
を特徴とする請求項１に記載のクロージャの残量減少報知装置。
【発明の詳細な説明】
【技術分野】
【０００１】
本発明は、食パン等の食品を収納した包装袋を結束用のクロージャで結束する結束機に設けられ、リールに巻回されたクロージャの残量の減少を感知して報知する、クロージャの残量減少報知装置に関するものである。
【背景技術】
【０００２】
従来、食パンを収納した包装袋を結束する包装ラインとしては、図７に略示的に示す構成のものが知られている。この包装ライン１は、搬送用のコンベヤ２の上部に包装袋３が連続して載置されており、コンベヤ２の近傍には、包装袋３をクロージャ４で結束する結束機（図示はされていない）が通常設けられる。結束機の上方には複数のクロージャ４、４…が巻回されたリール５が取り付けられる（特許文献１参照）。
【０００３】
リール５には、図８に示すような結束用のクロージャ４が、連接部４ａを介して複数接続しており、このような長尺に連続したクロージャ４、４…が、ロール状に巻回している。クロージャ４は、略円形状の挟持部４ｂと、切込み部４ｃとが形成されている（特許文献１参照）。
【０００４】
このような構成の包装ライン１では、連続的に繰り出されるクロージャ４が結束機で個々に分離されて、コンベヤ２の上を順次搬送される包装袋３の開口部を、クロージャ４で連続的に結束する。
【０００５】
また、特開２００２−２１１５１６号公報には、製品収納袋自動結束機の発明が開示されており、同公報の図１及び図２には、搬送用のコンベヤと、コンベヤの上に載置された製品収納袋と、製品収納袋の結束機と、結束機に設けられたクロージャとが記載されている（特許文献２、図１及び図２参照）。
【先行技術文献】
【特許文献】
【０００６】
【特許文献１】ＷＯ２００８／１４６５８５号公報（図３及び図１２）
【特許文献２】特開２００２−２１１５１６号公報（図１及び図２）
【発明の概要】
【発明が解決しようとする課題】
【０００７】
この従来例の包装ライン１においては、通常はリール５から離れた位置に設けられた光電管によって、クロージャ４、４…の終端を検知しており、クロージャ４の残量が１５個程度に減少してから、あるいはクロージャ４が全て無くなってから、いったん包装ライン１を停止させて、別途の新しいクロージャ４と交換している。
【０００８】
その結果、包装ライン１の停止時間が、平均９０秒程度掛かることとなる。例えば、１日当たり １１０,０００斤の食パンを包装するラインであれば、クロージャ４の交換回数は全体で２８回であって、９０秒×２８回＝４２分となり、１日当たり、４２分程度の時間的なロスが生じるという問題点を有している。
【０００９】
従って、従来例における包装ライン１においては、クロージャ４の交換に掛かる包装ライン１の停止時間を減少し又は無くして、時間的なロスをできるだけ解消することに解決しなければならない課題を有している。
【課題を解決するための手段】
【００１０】
前記従来例の課題を解決するための本発明の要旨は、被包装物を収納した包装袋を結束用のクロージャで結束する結束機に設けられ、リールに巻回された前記クロージャの残量の減少を感知して報知するクロージャの残量減少報知装置であって、該クロージャの残量減少報知装置は、複数の前記クロージャが連続的に接続して、円盤状の芯材に巻回されたクロージャロールと、該クロージャロールが交換自在にセットされ、巻回しているクロージャが前記結束機へ順次繰り出される前記リールと、該リールにセットされた前記クロージャロールに対して投光し、反射光を受光する光電管と、該光電管の受光量の減少を感知して報知する報知器とを少なくとも備え、前記芯材の色彩は、前記クロージャの色彩よりも前記光電管への反射光量が少ない濃色に着色されており、前記光電管の前記クロージャロールに対する投光が、前記クロージャから前記芯材へと変わることによって、反射光の受光量が減少したことを当該光電管が感知して前記報知器が報知する構成であること、である。
【００１１】
また、芯材は、前記クロージャの色彩よりも光の反射率が低い青色又は濃色であり、前記クロージャは、前記芯材の色彩よりも光の反射率が高い白色又は淡色であること、；
前記報知器は、回転灯、フラッシュ点灯装置、音響発生装置、又はブザー装置であること、；
を含むものである。
【発明の効果】
【００１２】
本発明に係るクロージャの残量減少報知装置によれば、リールからクロージャが順次繰り出されて、クロージャロールの芯材が露出すると、光電管からの投光がクロージャから芯材へと変わることになる。その結果、濃色（青色）の芯材からの反射光量が、淡色（白色）のクロージャの反射光量に比較して少なくなるので、受光量が減少したことを光電管が感知して報知器が報知する。
従って、クロージャの残量が無くなる前に、包装ラインを停止させずに、あるいは僅か数秒間だけ包装ラインを停止させて、別途の新しいクロージャロールと交換することが可能となり、従来例のような時間的なロスが解消できて、生産性が向上するという優れた効果を奏する。
【００１３】
また、芯材は、クロージャの色彩よりも光の反射率が低い青色又は濃色であり、クロージャは、芯材の色彩よりも光の反射率が高い白色又は淡色であることによって、光電管からの投光がクロージャから芯材へと変わると、受光量が減少したことを当該光電管が確実に感知できる。従って、クロージャの残量の減少を確実に報知できるという優れた効果を奏する。
【００１４】
そして、報知器は、回転灯、フラッシュ点灯装置、音響発生装置、又はブザー装置であることによって、受光量が減少したことを光電管が感知して、光で視覚的に又は音で聴覚的に報知するという優れた効果を奏する。
【図面の簡単な説明】
【００１５】
【図１】本発明に係る残量減少報知装置１１を略示的に示す結束機１８の正面図である。
【図２】本発明に係る残量減少報知装置１１を略示的に示す結束機１８の側面図である。
【図３】結束機１８を備えた包装ライン１９を略示的に示す説明図である。
【図４】（イ）クロージャロール１３の正面図である。（ロ）クロージャロール１３の側面図である。
【図５】芯材１２にクロージャ４が巻回した状態のクロージャロール１３と、リール１４と、光電管１５とを略示的に示す説明図である。
【図６】芯材１２が露出した状態のクロージャロール１３と、リール１４と、光電管１５とを略示的に示す説明図である。
【図７】従来例に係る包装ライン１を略示的に示す斜視図である。
【図８】連続的に複数接続したクロージャ４、４…を示す正面図である。
【発明を実施するための形態】
【００１６】
次に、本発明の実施の形態について図面を参照しながら説明する。まず、図１及び図２において、符号１１はクロージャの残量減少報知装置を示し、この残量減少報知装置１１は、複数のクロージャ４、４…が連続的に接続して円盤状の芯材１２に巻回されたクロージャロール１３（図４参照）と、クロージャロール１３を交換自在にセットするリール１４と、リール１４にセットされたクロージャロール１３に対して投光し反射光を受光する光電管（センサ）１５と、光電管１５の受光量の減少を感知して報知する報知器１６とから構成される。
【００１７】
残量減少報知装置１１は、食パン等の被収納物を収納した包装袋１７を、結束用のクロージャ４で結束する結束機１８に設けられる。図３に、結束機１８を備えた包装ライン１９を略示的に示して説明する。
【００１８】
包装ライン１９は、包装袋１７が載置されて順次搬送される搬送用のコンベヤ２０と、コンベヤ２０に略平行したガイド部２１とを有している。まず、図示しないシーラで開口部１７ａ側がシール２２された包装袋１７がガイド部２１に沿って送られ、この包装袋１７の開口部１７ａ側が、引き寄せ用のローラ２３に挟持されてガイド部２１側に引き寄せられる。
【００１９】
次いで、包装袋１７が上部クロージングロール２４と下部クロージングロール２５との間の結束部位に挟持されて、当該結束部位で包装袋１７にクロージャ４が掛けられる。結束機１８にはクロージャ４がセットされており、当該クロージャ４は、結束部位へ次々と連続的に繰り出される。結束機１８の上方にはクロージャロール１３がセットされたリール１４が取り付けられている（図１及び図２参照）。
【００２０】
クロージャロール１３は、従来例の図８に示す結束用のクロージャ４、４…が連続的に接続して、円盤状の芯材１２に巻回して形成される（図４参照）。クロージャ４は、従来例と同様であり、略円形状の挟持部４ｂと、切込み部４ｃとを有している（図８参照）。
【００２１】
また、クロージャ４は、芯材１２に比較して光の反射率が高い淡色に着色されており、具体的には白色であることが望ましい。
【００２２】
芯材１２は、クロージャ４に比較して光の反射率が低い濃色に着色されており、具体的には青色であることが望ましい。
【００２３】
リール１４は、図１及び図２に示すように、支柱２６の上部に設けた支軸２６ａに回転自在に取り付けられており、リール１４には、クロージャロール１３が交換自在にセットされている。
【００２４】
また、リール１４からは、連続的に接続したクロージャ４、４…が延出しており、その下端が結束機１８へと続いている。連続的に繰り出されるクロージャ４は、個々に分離されて、上述のように、コンベヤ２０の上を順次搬送される包装袋１７を、結束機１８によって当該クロージャ４で連続的に結束する仕組みになっている（図３参照）。
【００２５】
光電管１５は、図１及び図２に示すように、支柱２６の途中の支持部２６ｂに取り付けられており、この光電管１５はリール１４にセットされたクロージャロール１３に対して投光し、反射光を受光する（図５及び図６参照）。
【００２６】
報知器１６は、光電管１５と電気的に接続しており、当該光電管１５が受光量の減少を感知して電気信号を送り、作動する仕組みになっている。つまり、受光量が減少したことを光電管１５が感知して電気信号を送り、報知器１６が光で視覚的に又は音で聴覚的に報知する。
【００２７】
また、報知器１６は、具体的には回転灯（パトランプ）、フラッシュ点灯装置、音響発生装置、又はブザー装置等であり、要するに、報知器１６が作動することで、近傍の作業者がその音や光に気付けばよいのである。
【００２８】
以上のように構成されるクロージャの残量減少報知装置１１は、図６に示すように、クロージャ４が順次繰り出されて、クロージャロール１３の芯材１２が露出すると、光電管１５からの投光がクロージャ４、４…から芯材１２へと変わることになる（図５及び図６参照）。その結果、濃色（青色）の芯材１２からの反射光量が、淡色（白色）のクロージャ４、４…の反射光量に比較して少なくなるので、受光量が減少したことを光電管１５が感知して、当該光電管１５と電気的に接続した報知器１６が報知する。
なお、図５及び図６中の符号２７は、クロージャ４、４…をガイドするガイド支柱を示す。
【００２９】
このように、クロージャ４の減少が報知されることによって、クロージャ４の残量が無くなる前に、包装ライン１９を停止させずに、あるいは僅か数秒間だけ包装ライン１９を停止させて、別途の新しいクロージャロール１３と交換することが可能となり、従来例のような時間的なロスが解消できて、生産性が向上する。
【００３０】
具体的には、包装ライン１９の停止時間を、平均０〜１０秒程度に短縮することが可能である。従来例で述べたように、１日当たり １１０,０００斤の食パンを包装するラインであれば、クロージャロール１３の交換回数は全体で２８回であって、１０秒×２８回＝約４．６分となる。つまり、１日当たりのロス時間が、０秒〜約４．６分程度となる。
【００３１】
従って、例示した包装ライン１９であれば、従来例で述べた１日当たりのロス時間が４２分であるので、１日当たり、約３７分（４２分−４．６分＝約３７分）〜４２分程度のライン停止時間の削減効果が見込まれる。
【産業上の利用可能性】
【００３２】
本発明のクロージャの残量減少報知装置１１は、主に食パン等のパン類を収納した包装袋１７を結束する包装ライン１９で用いることが想定されるが、それ以外にも、様々な食品類や、日用雑貨品、小物等を収納した包装袋１７を結束する包装ライン１９でも用いることができることは勿論である。
【符号の説明】
【００３３】
１    包装ライン
２    搬送用のコンベヤ
３    包装袋
４    クロージャ
４ａ  連接部
４ｂ  挟持部
４ｃ  切込み部
５    リール
１１  クロージャの残量減少報知装置
１２  芯材
１３  クロージャロール
１４  リール
１５  光電管（センサ）
１６  報知器
１７  包装袋
１７ａ  開口部
１８  結束機
１９  包装ライン
２０  コンベヤ
２１  ガイド部
２２  シール
２３  ローラ
２４  上部クロージングロール
２５  下部クロージングロール
２６  支柱
２６ａ  支軸
２６ｂ  支持部
２７  ガイド支柱
【図１】
2014210611.tif 000003
【図２】
2014210611.tif 000004
【図３】
2014210611.tif 000005
【図４】
2014210611.tif 000006
【図５】
2014210611.tif 000007
【図６】
2014210611.tif 000008
【図７】
2014210611.tif 000009
【図８】
2014210611.tif 000010